(57)【要約】【課題】従来、塗料を防犯用として利用した防犯用品として、金融機関、コンビニ等に備えている防犯用カラーボールが知られているが、この防犯用カラーボールの場合は、ある程度の投球技量を必要とし、特に、必ず犯行現場にボールを投げる者が居ることが必須とされ、よって、誰も居ない、誰も見ていない現場での犯行に対しては全く無力で、有っても意味を成さない課題があった。【解決手段】設定長のホース等の中空部内に蛍光塗料等の防犯用塗料を蓄圧状態に充填密封して設けた防犯用ホースであり、該ホースを目的物に取付・固着し、犯行時にホースを切断、破損すると、防犯用塗料が内部液圧で周囲に噴出、飛散して、犯人、逃走車両、盗難物等に外部から極めて目立つ塗料が付着し、それを目印として、犯人、逃走車両、盗難物等の選別、特定、取戻、追跡、捜査、逮捕等に有功ならしめたことを特徴とする本発明防犯用ホースによって課題を解決した。【選択図】図１
2007034953.tif 000002
【特許請求の範囲】
【請求項１】
設定長のホース、チューブ、若しくはパイプ等の中空部内に蛍光塗料、夜光塗料等からなる防犯用塗料を設定液圧の蓄圧状態に充填密封して設けた防犯用ホースであり、該防犯用ホースを防犯の目的物に取付・固着して用いるものであって、
窃盗、強盗等の犯人が、目的物の窃盗、強奪等せんとして該目的物に備えた本防犯用ホースを切断、破損すると、該切断、破損部分から中空部内の防犯用塗料が内部液圧で周囲に噴出、飛散して、犯人、逃走車両、盗難物等に付着するように備えたものであって、外部から極めて目立つ付着塗料を目印とすることによって、犯人、逃走車両、盗難物等の選別、特定、逮捕、取戻等、若しくは、逃走犯人、逃走車両、盗難物等の追跡、捜査、逮捕、取戻等に有功ならしめたことを特徴とする、
防犯用塗料を蓄圧状態に充填密封した防犯用ホース。
【請求項２】
防犯用ホースに充填する防犯用塗料は、金融機関等に備えている防犯用カラーボールに充填使用している塗料と同様のものであり、赤色、黄色等の目立つ色彩の蛍光塗料、夜光塗料等に必要に応じて催涙剤、臭気剤、粘着剤等を加えたものである、
請求項１の防犯用塗料を蓄圧状態に充填密封した防犯用ホース。
【請求項３】
防犯用ホースは、ホース、チューブ、若しくはパイプ等の中空部を有するプラスチック、合成ゴム、カーボン、金属等のフレキシブルな素材で設けたものであり、該防犯用ホースの一部に、該防犯用ホースを目的位置・箇所等に取付・固着する錠・鍵等の取付・固着手段を備えたものである、
請求項１の防犯用塗料を蓄圧状態に充填密封した防犯用ホース。
【請求項４】
防犯用ホースにワイヤー（金属、カーボン等）、鎖等の切断防止、強化材を内装若しくは併設して備えたものである、
請求項１の防犯用塗料を蓄圧状態に充填密封した防犯用ホース。
【請求項５】
防犯用ホースにその切断・破損等の異常を検出して、他の防犯機材と連携作動するための被服導線を内装若しくは併設して備えたものである、
請求項１の防犯用塗料を蓄圧状態に充填密封した防犯用ホース。
【発明の詳細な説明】
【技術分野】
【０００１】
本発明は、設定長のホース、チューブ、若しくはパイプ等（以下、ホースと記す。）の中空部内に、防犯用塗料（主として、蛍光塗料、夜光塗料等に、必要に応じて臭気剤、粘着剤などを加えたもの。例、防犯用カラーボールの充填塗料。）を設定液圧の蓄圧状態に充填密封して設けた防犯用ホースであり、該防犯用ホースを防犯の目的物に取付けて用いるものであって、
【０００２】
窃盗、強盗等の犯人が、目的物の窃盗、強奪等のため該目的物に備えた本防犯用ホースを切断、破損すると、該切断、破損部分から中空部内の防犯用塗料が内部液圧で周囲に噴出、飛散して、犯人、逃走車両、盗難物等に付着するように備えたものであって、
【０００３】
外部から極めて目立つ付着塗料を目印とすることによって、犯人、逃走車両、盗難物等の選別、特定、逮捕、取戻等、若しくは、逃走犯人、逃走車両、盗難物等の追跡、捜査、逮捕、取戻等に有功ならしめたことを特徴とする、防犯用塗料を蓄圧状態に充填密封した防犯用ホースに係るものである。
【背景技術】
【０００４】
従来、塗料を防犯用として利用した防犯用品として、金融機関、コンビニ等に備えている防犯用カラーボールが知られているが、該防犯用カラーボールは蛍光塗料、夜光塗料等の防犯用塗料を砕け裂け易いプラスチック素材のボールに封入して設けたものであり、それを従業員等の手の届く場所に置いておいて、実際に強盗等の犯罪が起きた場合に、逃走する犯人に投げつけ命中させて、犯人、逃走車両、盗難物等に外部から極めて目立つ塗料を付着させることによって、犯人、逃走車両、盗難物等の選別、特定、逮捕、取戻等、若しくは、逃走犯人、逃走車両、盗難物等の追跡、捜査、逮捕、取戻等に有功ならしめるようにしたものであり、
また、金融機関等に防犯用カラーボールの備えがあることを明示して、犯人等の犯意を鈍らせ、或いは、断念させる防犯効果を発揮するものである。
【０００５】
上記防犯用塗料は近年著しく改良されて、付着すると非常に目立つ上に除去し難い優れた特性を有するものになってきている。
ところが、この防犯用カラーボールを有効に使用するには、ある程度の投球技量を必要とし、実際に犯人に命中させて塗料を付着させることが中々難しく、無関係な周囲を塗料で汚染してしまう難点があり、
【０００６】
特に、この防犯用カラーボールの場合は、必ず、犯行現場にボールを投げる者が存在することが必須とされ、よって、誰も居ない、誰も見ていない現場での犯行に対しては全く無力で、有っても意味を成さない課題があった。
【０００７】
他方、近時、上記金融機関、コンビニ等における窃盗、強盗等の他、夜間に駐車しているトラック等から建材類等の積荷が盗まれることが多発しており、また、農家が夜間に収穫農作物を盗まれることが多発しているが、これら誰も見ていない現場での盗難に対して、犯人、逃走車両、盗難物等の追跡、捜査、逮捕、取戻等に有効な防犯手段が未だ提供されていない課題があった。
【発明の開示】
【発明が解決しようとする課題】
【０００８】
そこで、本発明は、特に、夜間など、誰も居ない、誰も見ていない現場での盗難に対して、犯人、逃走車両、盗難物等の追跡、捜査、逮捕、取戻等に有効な防犯手段を提供して、従来の課題を解決せんとするものである。
【課題を解決するための手段】
【０００９】
即ち、本発明は、設定長のホース、チューブ、若しくはパイプ等の中空部内に蛍光塗料、夜光塗料等からなる防犯用塗料を設定液圧の蓄圧状態に充填密封して設けた防犯用ホースであり、該防犯用ホースを防犯の目的物に取付・固着して用いるものであって、
【００１０】
窃盗、強盗等の犯人が、目的物の窃盗、強奪等せんとして該目的物に備えた本防犯用ホースを切断、破損すると、該切断、破損部分から中空部内の防犯用塗料が内部液圧で周囲に噴出、飛散して、犯人、逃走車両、盗難物等に付着するように備えたものであって、外部から極めて目立つ付着塗料を目印とすることによって、犯人、逃走車両、盗難物等の選別、特定、逮捕、取戻等、若しくは、逃走犯人、逃走車両、盗難物等の追跡、捜査、逮捕、取戻等に有功ならしめたことを特徴とする、防犯用塗料を蓄圧状態に充填密封した防犯用ホースによって、課題を解決したものである。
【発明の効果】
【００１１】
本発明防犯用ホースを目的物に取付・固着して、犯人が該防犯用ホースを破壊的に除去しない限り目的物を盗めないように備えたことを特徴とするため、犯人が目的物を盗もうとして、該防犯用ホースを切断・破損すると、該切断、破損部分から中空部内の防犯用塗料が内部液圧で周囲に噴出、飛散して、犯人、逃走車両、盗難物等に付着して、その外部から極めて目立つ付着塗料を目印とすることによって、犯人、逃走車両、盗難物等の選別、特定、逮捕、取戻等、若しくは、逃走犯人、逃走車両、盗難物等の追跡、捜査、逮捕、取戻等を極めて効果的、効率的に行うことができる優れた効果がある。
【００１２】
特に、上記の効果は、従来の防犯用カラーボールの場合と相違して、犯行現場に誰も居らず、誰も見ていない場合でも、有功に発揮でき、事後の警察等の捜査等に今まで以上に寄与することが可能である。
【００１３】
また、付随効果として、本発明が犯行に必要な箇所を占有してしまっているため、抑止効果を発揮する効果も期待できるなど、以前の防犯塗料の利用法では得られなかった効果を生み出すことができる。
【発明を実施するための最良の形態】
【００１４】
防犯用ホースＡを、設定長のホース１、例えば、内圧に強い耐久性を有する油圧機器用のホース１を使用し、該ホース１の中空部２内にワイヤー７を挿通しその両端を係合環５に固着すると共に防犯用塗料３を設定液圧の蓄圧状態に充填した状態でホース１の両端を係合環５で密封固定して設ける。
【００１５】
該防犯用ホースＡを、例えば、バイク、乗用車等の車輪、ハンドル、若しくはボディ等、若しくは、トラックの積荷、農家の収穫物等に掛け回すと共に、強固不動な物体、例えば、電柱、ガードレール、建物等に掛け回し、両端の係合環５に不正開錠困難なシリンダ錠、電子錠等の適宜な錠６を係合施錠して、防犯用ホースを切断、破損しない限り、盗めないように備える。
【００１６】
犯人が目的物を強引に盗もうとして防犯用ホースＡを切断、破損すると、中空部２内の防犯用塗料３が内部液圧で周囲に噴出、飛散して、犯人、逃走車両、盗難物等に付着して、その外部から極めて目立つ付着塗料を目印とすることによって、犯人、逃走車両、盗難物等の選別、特定、逮捕、取戻等、若しくは、逃走犯人、逃走車両、盗難物等の追跡、捜査、逮捕、取戻等を極めて効果的、効率的に行うことができるよう設ける。
【実施例】
【００１７】
以下、図面により、本発明の実施例につき説明する。
図１は本発明実施例の正面図、図２は図１の一部拡大断面図である。
【００１８】
設定長のホース１、チューブ、若しくはパイプ等の中空部２内に蛍光塗料、夜光塗料等からなる防犯用塗料３を設定液圧の蓄圧状態に充填密封して設けた、防犯用塗料３を蓄圧状態に充填密封した防犯用ホースＡであり、該防犯用ホースＡを防犯の目的物に取付・固着して用いるものである。
【００１９】
防犯用ホースＡに充填する防犯用塗料３は、例えば、金融機関等に備えている防犯用カラーボールに充填使用している塗料と同様のものであり、例えば、赤色、黄色等の目立つ色彩の蛍光塗料、夜光塗料等に必要に応じて催涙剤、臭気剤、粘着剤等を加えたものである。
【００２０】
防犯用ホースＡは、ホース１、チューブ、若しくはパイプ等の中空部２を有するプラスチック、合成ゴム、カーボン、金属等のフレキシブルな素材で設けたものであり、例えば、内圧に強い耐久性を有する油圧機器用のホース１（図示例）を使用する。
【００２１】
また、防犯用ホースＡの一部に、該防犯用ホースＡを目的位置・箇所等に取付・固着する錠・鍵等の取付・固着手段４、例えば、図示のように、ホース１の両端を係合環５で密封固定し、バイク、乗用車等の防犯目的物と電柱、ガードレール、建物等の強固不動な物体との間に掛け回した後、両端の係合環５に不正開錠困難なシリンダ錠、電子錠等の適宜の錠６を係合施錠して、防犯用ホースＡを切断、破損しない限り、盗めないように備える。
【００２２】
防犯用ホースＡにワイヤー（金属、カーボン等）、鎖等の切断防止、強化材を内装若しくは併設して備える。
例えば、図示のように、ホース１の中空部２内にワイヤー７（金属、カーボン等）を挿通しその両端を係合環５に固着して設ける。
【００２３】
なお、必要に応じ、更に防犯対策を完全なものにするために、例えば、防犯用ホースにその切断・破損等の異常を検出して、他の防犯機材と連携作動するための被覆導線（図示を略す。）を内装若しくは併設して備える。
【産業上の利用可能性】
【００２４】
本発明防犯用ホースによって、盗難を防止せんとする物品とその周囲近辺の環境内に存在する固定的で移動が不可能な物体との連結、例えばバイク、乗用車、自販機、ＡＴＭ、トラック等の積荷、倉庫等の保管物等と、電柱、カードレール、建物、コンクリート床等の固定物との連結を、本発明防犯用ホースの切断、損壊無しには分離できない状態に行なうことによって、それらの防犯と犯行後の犯人、逃走車両、盗難物等の選別、特定、逮捕、取戻等、若しくは、逃走犯人、逃走車両、盗難物等の追跡、捜査、逮捕、取戻等を行うあらゆる場合に、適応し得る。
【００２５】
また、上記のような場合の他、例えば、各種機械装置等の操作に不可欠な部分、例えば、ハンドル、レバー、ノブ、操作ボタン等に本発明防犯用ホースの切断、損壊無しには操作できない状態に取付けるとか、防犯対象物につり上げフック等がある場合、本発明防犯用ホースの切断、損壊無しにはそのフックを使用出来ないように取付けるとかすることによって、犯人の犯行を思い止まらせるなど、本来の防犯目的に沿った、極めて多様な利用態様が可能であり、当然、それらの場合も本発明の技術的構成範囲に含まれるものである。
【図面の簡単な説明】
【００２６】
【図１】本発明実施例の正面図である。
【図２】図１の一部拡大断面図である。
【符号の説明】
【００２７】
Ａ    本発明実施例防犯用ホース
１    ホース
２    中空部
３    防犯用塗料
４    取付・固着手段（例、係合環と錠）
５    係合環
６    錠
７    ワイヤー
【図１】
2007034953.tif 000003
【図２】
2007034953.tif 000004